(57)【特許請求の範囲】
【請求項１】
筐体と、この筐体にヒンジを介して水平方向へ回動可能に支持された扉とを備え、上記ヒンジが、上記筐体に取り付けられた筐体側取付部材と、この筐体側取付部材にそれぞれの基端部が水平方向へ回動可能に支持された一対のリンクと、各リンクの先端部に水平方向へ回動可能に支持され、上記扉が回動不能に連結される扉側取付部材とを有する扉開閉装置において、
上記扉側取付部材には水平な載置部が設けられ、上記扉には上記載置部に水平方向へ回動可能に載置される被支持部が設けられ、上記扉側取付部材と上記被支持部とのいずれか一方には、他方側に向かって鉛直方向に延びる基準軸部が設けられ、他方には、上記基準軸部が水平方向へ回動可能に嵌合される位置決め孔が形成され、上記扉側取付部材と被支持部との間には、互いに嵌合する上記基準軸部及び上記位置決め孔と協働して、上記扉側取付部材と上記被支持部とを回動不能に連結する連結機構が設けられていることを特徴とする扉開閉装置。
【請求項２】
上記連結機構が、上記扉側取付部材と上記被支持部とのいずれか一方に軸線を鉛直方向に向けて設けられたねじ孔と、他方にこれを鉛直方向に貫通するように設けられ、上記扉を上記基準軸部を中心として所定の回動位置に回動させたときに上記ねじ孔と軸線を一致させる挿通孔と、この挿通孔を貫通して上記ねじ孔に螺合された雄ねじ部材とを有していることを特徴とする請求項１に記載の扉開閉装置。
【請求項３】
上記扉側取付部材及び上記被支持部には、上記扉を上記基準軸部を中心として上記所定の位置まで一方向へ回動させたときに、互いに係合して上記扉の同方向への回動を阻止する係合部がそれぞれ設けられていることを特徴とする請求項２に記載の遊扉開閉装置。
【請求項４】
上記連結機構が、上記扉側取付部材と上記被支持部とのいずれか一方に設けられた鉛直方向に延びる係合軸部と、他方に設けられ、上記扉の所定の回動位置において上記係合軸部が嵌合する係合孔とを有していることを特徴とする請求項１に記載の扉開閉装置。
【請求項５】
上記基準軸部と上記係合軸部との両者が、上記扉側取付部材と上記被支持部との一方に設けられ、上記扉を上記所定の回動位置において下方へ移動させたとき、上記基準軸部が上記位置決め孔に嵌合した後、上記係合軸部が上記係合孔に嵌合するように、上記基準軸部及び上記係合軸部並びに上記位置決め孔及び上記係合孔の各鉛直方向の位置が定められていることを特徴とする請求項４に記載の扉開閉装置。
【発明の詳細な説明】
【０００１】
【発明の属する技術分野】
この発明は、パチンコ遊技機等における筐体に扉を開閉回動可能に取り付けるための扉開閉装置に関する。
【０００２】
【従来の技術】
一般に、パチンコ遊技機、パチスロ遊技機等の遊技機は、筐体と扉とを備えており、扉は筐体にヒンジを介して水平方向へ回動可能に支持されている。ヒンジは、筐体の一側部内面に取り付けられる筐体側取付部材と、この筐体側取付部材にそれぞれの基端部が鉛直な軸線を中心として水平方向へ回動可能に支持された一対のリンクと、各リンクの先端部に鉛直な軸線を中心として水平方向へ回動可能に支持された扉側取付部材とを有しており、扉側取付部材には扉が回動不能に取り付けられる。これにより、扉が筐体にヒンジを介して水平方向へ回動可能に取り付けられている。
【０００３】
上記従来の遊技機においては、扉に下端が開放された水平方向に延びる係合凹部が形成される一方、扉側取付部材に上方に起立する係止片が設けられている。そして、係止片を係合凹部にその下端開放部から挿入することにより、扉が扉側取付部材に回動不能に取り付けられていた（特開平８−２６６７２９号公報参照）。
【０００４】
【発明が解決しようとする課題】
上記従来の遊技機において、扉を扉側取付部材に取り付ける場合には、係止片と係合凹部との位置及び向きを一致させる必要があり、そのためには扉の位置及び向きを同時に調節する必要がある。しかるに、扉が重いため、扉の位置と向きとの両者を同時に調節することが困難である。このため、扉の取付作業に多大の手間を要するという問題があった。
【０００５】
【課題を解決するための手段】
この発明は、上記の問題を解決するためになされたもので、筐体と、この筐体にヒンジを介して水平方向へ回動可能に支持された扉とを備え、上記ヒンジが、上記筐体に取り付けられた筐体側取付部材と、この筐体側取付部材にそれぞれの基端部が水平方向へ回動可能に支持された一対のリンクと、各リンクの先端部に水平方向へ回動可能に支持され、上記扉が回動不能に連結される扉側取付部材とを有する遊技機において、上記扉側取付部材には水平な載置部が設けられ、上記扉には上記載置部に水平方向へ回動可能に載置される被支持部が設けられ、上記扉側取付部材と上記被支持部とのいずれか一方には、他方側に向かって鉛直方向に延びる基準軸部が設けられ、他方には、上記基準軸部が水平方向へ回動可能に嵌合される位置決め孔が形成され、上記扉側取付部材と被支持部との間には、互いに嵌合する上記基準軸部及び上記位置決め孔と協働して、上記扉側取付部材と上記被支持部とを回動不能に連結する連結機構が設けられていることを特徴としている。
この場合、上記連結機構は、上記扉側取付部材と上記被支持部とのいずれか一方に軸線を鉛直方向に向けて設けられたねじ孔と、他方にこれを鉛直方向に貫通するように設けられ、上記扉を上記基準軸部を中心として所定の回動位置に回動させたときに上記ねじ孔と軸線を一致させる挿通孔と、この挿通孔を貫通して上記ねじ孔に螺合された雄ねじ部材とを有していてもよい。その場合、上記扉側取付部材及び上記被支持部には、上記扉を上記基準軸部を中心として上記所定の位置まで一方向へ回動させたときに、互いに係合して上記扉の同方向への回動を阻止する係合部がそれぞれ設けられていることが望ましい。
また、上記連結機構は、上記扉側取付部材と上記被支持部とのいずれか一方に設けられた鉛直方向に延びる係合軸部と、他方に設けられ、上記扉の所定の回動位置において上記係合軸部が嵌合する係合孔とを有していてもよい。その場合には、上記基準軸部と上記係合軸部との両者が、上記扉側取付部材と上記被支持部との一方に設けられ、上記扉を上記所定の回動位置において下方へ移動させたとき、上記基準軸部が上記位置決め孔に嵌合した後、上記係合軸部が上記係合孔に嵌合するように、上記基準軸部及び上記係合軸部並びに上記位置決め孔及び上記係合孔の各鉛直方向の位置が定められていることが望ましい。
【０００６】
【発明の実施の形態】
以下、この発明の実施の形態について図１〜図１０を参照して説明する。
まず、図１〜図７に基づいてこの発明の一実施の形態を説明する。図１は、この発明に係る扉開閉装置が設けられたパチスロ遊技機（遊技機）１を示すものであり、このパチスロ遊技機１は、筐体２と、この筐体２に上下一対のヒンジ３，３を介して水平方向へ開閉回動可能に取り付けられた扉４とを備えている。
【０００７】
筐体２は、略直方体状の箱状をなしており、その前面部が開放されている。この筐体２の左側部の内面には、上記一対のヒンジ３，３が鉛直方向へ互いに離れて取り付けられている。そして、扉４の左側部が一対のヒンジ３，３を介して筐体２の左側部に水平方向へ回動可能に取り付けられている。扉４は、筐体２の前面開放部を閉じた閉位置と図１に示す開位置との間を回動可能になっている。扉４は、筐体２の右側部内面にヒンジ３を介して回動可能に取り付けてもよい。
なお、筐体２と扉４との間には、扉４を閉位置に位置固定する施錠機構（図示せず）が設けられており、施錠機構を開錠すると、ヒンジ３に設けられた後述するばね３６（図２参照）によって扉４が開位置まで回動させられるようになっている。
【０００８】
図２に示すように、ヒンジ３は、筐体側取付部材３１を有している。筐体側取付部材３１は、筐体２の左側部内面にビスＢ１（図４〜図７参照）等によって固定されている。筐体側取付部材３１の前端部（筐体２の前面側に位置する端部）には、一対のリンク３２，３３の各基端部が鉛直方向を向く軸３４ａ，３４ｂを介して水平方向へ回動可能に支持されている。各リンク３２，３３の先端部は、筐体２からその開放部を通って前方に突出しており、各リンク３２，３３の先端部には、扉側取付部材３５が鉛直方向に延びる軸３４ｃ，３４ｄを中心として水平方向へ回動可能に支持されている。扉側取付部材３５には、上記扉４が後述するようにして取り付けられており、扉４が図１に示す開位置に回動すると、図２（Ａ）に示すように、リンク３２が軸３４ｂに突き当たる。これにより、扉側取付部材３５の矢印Ｘ方向への回動が規制され、それ以上扉４が開方向へ回動することができなくなっている。その一方、扉４は閉位置まで閉回動すると、筐体２の前面に突き当たる。これにより、扉４がそれ以上閉方向へ回動することができなくなるとともに、扉側取付部材３５の矢印Ｙ方向（閉方向）への回動が規制されている。
【０００９】
扉側取付部材３５は、付勢手段たるばね３６によりリンク３２を介して開方向（図２（Ａ）の矢印Ｘ方向）へ常時回動付勢されている。したがって、筐体２と扉４との間に設けられた施錠装置によって扉４を閉位置に位置固定しない限り、扉側取付部材３５及び扉４は開位置まで回動させられる。
【００１０】
扉側取付部材３５の上面は、水平な平面とされており、この実施の形態では扉側取付部材３５の上面全体が載置面（載置部）３５ａになっている。載置面３５ａは、扉側取付部材３５の上面の一部にのみ形成してもよい。載置面３５ａには、上方へ向かって起立する基準軸（基準軸部）３７が設けられている。基準軸３７は、扉側取付部材３５を一方のリンク３２に回動可能に連結する軸３４ｃを載置面３５ａから上方へ突出させることによって構成されている。つまり、載置面３５ａから上方に突出する軸３４ｃの上端部が基準軸３７として兼用されているのである。基準軸３７は、軸３４ｃとは別に設けてもよい。例えば、軸３４ｄを載置面３５ａから上方へ突出させて、これを基準軸３７として兼用してもよく、あるいは軸３４ｃ，３３ｄとは別の軸を載置面３５ａに立設し、これを基準軸３７としてもよい。また、基準軸３７は、載置面３５ａが扉側取付部材３５の一部にのみ形成される場合には、扉側取付部材３５の載置面３５ａと異なる箇所に設けてもよい。基準軸３７の上端部には、上方へ向かって小径になるテーパ部３７ａが形成されている。
【００１１】
扉側取付部材３５の載置面３５ａには、軸線を鉛直方向に向けたねじ孔３５ｂが形成されている。このねじ孔３５ｂは、基準軸３７に対して水平方向へ離れた箇所に配置されている。
【００１２】
図１及び図３〜図７に示すように、扉４の左側部内面には、鉛直方向に延びる断面Ｌ字状の防犯プレート５が設けられている。この防犯プレート５は、扉４を閉じたときに扉４と筐体２との間からピアノ線等を筐体２内に挿入して不正が行われるのを防止するためのものである。鉛直方向においてヒンジ３の設置箇所とほぼ同一箇所における防犯プレート５には、その一部を切り起こすことにより、水平方向前方（扉４を閉じたときに扉４から筐体２に向かう方向）に突出する被支持部５１が形成されている。この被支持部５１が載置面３５ａに載置されることにより、扉４がヒンジ３を介して筐体２に支持されている。
【００１３】
被支持部５１には、これを鉛直方向に貫通する位置決め孔５１ａ及び挿通孔５１ｂが形成されている。位置決め孔５１ａには、その下側から基準軸３７が挿入され、回動可能に嵌合されている。基準軸３７は、その上端部に上方へ向かって先細りのテーパ部３７ａが形成されているので、位置決め孔５１ａに容易に挿入することができる。基準軸３７を位置決め孔５１ａに嵌合させた状態では、扉４が扉側取付部材３５に対し基準軸３７を中心として水平方向へ回動可能に連結される。
【００１４】
挿通孔５１ｂは、扉側取付部材３５及び扉４を開位置に位置させたとき、挿通孔５１ｂの軸線がねじ孔３５ｂの軸線と一致するように配置されている。したがって、図７に示すように、扉側取付部材３５及び扉４を開位置に位置させることにより、締付ボルト（雄ねじ部材）Ｂ２を挿通孔５１ｂにその上方から挿通してねじ孔３５ｂに螺合させることができる。そして、締付ボルトＢ２を閉め付けると、扉側取付部材３５と被支持部５１とが基準軸３７及び締付ボルトＢ２により２点で固定される。これにより、扉４が扉側取付部材３５に回動不能に取り付けられている。これから明かなように、ねじ孔３５ｂ、挿通孔５１ｂ及び締付ボルトＢ２により、基準軸３７及び位置決め孔５１ａと協働して扉側取付部材３５と被支持部５１とを回動不能に連結する連結機構が構成されている。
【００１５】
被支持部５１の先端部には、下方に向かって突出する係合片（係合部）５１ｃが形成されている。この係合片５１ｃは、図６に示すように、扉側取付部材３５を開位置に位置させた状態にして、扉４を基準軸３７を中心として閉位置側から開位置まで回動させたとき、扉側取付部材３５の当接面（係合部）３５ｃに突き当たるように配置されている。したがって、扉側取付部材３５を開位置に位置させた状態で、係合片５１ｃが当接面３５ｃに突き当たるまで扉４を基準軸３７を中心として開方向へ回動させると、扉４が開位置に位置するとともに、挿通孔５１ｂの軸線がねじ孔３５ｂの軸線と一致するようになる。
【００１６】
上記構成の遊技機１において、扉４を筐体２に取り付けるに際しては、予めヒンジ３の扉側取付部材３５を開位置に位置させておく。これは、扉側取付部材３５を自由状態にすることにより、ばね３６によって自動的に行われる。一方、扉４については、開位置と閉位置との間の任意の位置に位置させておく。このようにセットしたら、まず位置決め孔５１ａを基準軸３７の上方に位置させる。その後、扉４を下方へ移動させて、位置決め孔５１ａに基準軸３７を挿入する。このとき、扉４については、その位置合わせを行うだけでよく、その向き（回動位置）を考慮する必要がない。したがって、基準軸３７を位置決め孔５１ａに容易に挿入することができる。特に、この実施の形態においては、基準軸３７の上端部に上方に向かって先細りのテーパ部３７が形成されているので、基準軸３７を位置決め孔５１ａにより一層容易に挿入することができる。次に、扉４を基準軸３７を中心として開位置（所定の位置）側へ回動させる。このときには、扉４の自重が扉側取付部材３５の載置面３５ａにより被支持部５１を介して支持されているので、扉４を容易に回動位置させることができる。扉４を開位置まで回動させると、係合片５１ｃが当接面３５ｃに突き当たる。したがって、扉４を開位置に容易に位置決めすることができる。扉４が開位置に達すると、挿通孔５１ｂとねじ孔３５ｂとの軸線が一致する。そこで、挿通孔５１ｂの上方から締付ボルトＢ２を挿入し、さらにねじ孔３５ｂに螺合させる。そして、締付ボルトＢ２を締め付けることにより、扉４を筐体２にヒンジ３を介して取り付ける。
【００１７】
このように、この遊技機１においては、基準軸３７を位置決め孔５１ａに嵌合させた後、扉４を開位置まで回動させて挿通孔５１ｂとねじ孔３５ｂとの軸線を一致させ、挿通孔５１ｂからねじ孔３５ｂに螺合されら締付ボルトＢ２を締め付けることにより、扉４を扉側取付部材３５に連結固定することができるから、扉４の位置と向きとを同時に調節する必要がなく、個別に調節すればよい。したがって、扉４を扉側取付部材３５に容易に連結することができる。
【００１８】
次に、図８〜図１０に示すこの発明の他の実施の形態について説明する。これらの図に示す実施の形態においては、ヒンジ３に代えてヒンジ３Ａが用いられている。ヒンジ３Ａは、扉側取付部材３５に代わる扉側取付部材３５Ａを有している。この扉側取付部材３５Ａには、載置面３５ａから上方に起立する係合軸（係合軸部）３８が設けられている。この係合軸３８は、載置面３５ａから上方へ突出させられた軸３４ｄの上端部が兼用されている。係合軸３８は、軸３４ｄとは別個に設けてもよい。また、載置面３５ａが扉側取付部材３５の上面の一部にのみ設けられている場合には、載置面３５ａ以外の上面に係合軸３８を設けてもよい。係合軸３８の基準面３５ａからの高さは、基準軸３７の基準面３５ａからの高さより低く設定されている。係合軸３８の上端部には、上方へ向かって小径になるテーパ部３８ａが形成されている。
【００１９】
一方、扉４には被支持部５１に代わる被支持部５１Ａが設けられている。被支持部５１Ａには、上記の実施の形態における挿通孔５１ｂが形成されておらず、それに代えて係合孔５１ｄが形成されている。この係合孔５１ｄは、係合軸３８が嵌合可能であり、扉側取付部材３５を開位置に位置させた状態で、扉４を基準軸３７を中心として閉位置側から開位置まで回動させると、係合孔５１ｄの軸線が係合軸３８の軸線と一致するように配置されている。
【００２０】
扉４を筐体２にヒンジ３Ａを介して取り付ける場合には、予めヒンジ３Ａの扉側取付部材３５を開位置に位置させておくとともに、扉４を扉開位置より閉位置側の任意の回動位置に位置させておく。そのような状態において、まず被支持部５１の位置決め孔５１ａを基準軸３７のほぼ真上に位置させる。そして、扉４を下方へ移動させることによって位置決め孔５１ａにその下側から基準軸３７を挿入する。その後、扉４をさらに下方へ移動させ、被支持部５１の下面を係合軸３８の上端部に突き当てる。この状態では、扉４が被支持部５１及びヒンジ３Ａを介して筐体２に支持される。その後、扉４を基準軸３７を中心として開位置側へ回動させる。このとき、扉４をガタなく円滑に回動させることができるよう、被支持部５１が係合軸３８の上端部に突き当たった状態のとき、基準軸３７のテーパ部３７ａより下側の部分、つまり位置決め孔５１ａの内径とほぼ同一の外径を有する部分が位置決め孔５１ａに嵌合するように、基準軸３７の高さを設定しておくのが望ましい。
【００２１】
扉４を開位置の直前まで回動させると、係合孔５１ｄが係合軸３８のテーパ部３８ａと対向する。その結果、扉４が自重によって下方へ移動するとともに、テーパ部３８ａが係合孔５１ｄに自動的に入り込む。したがって、この実施の形態では、扉４を開位置に位置決めするための係合片５１ｃが不用である。その後、被支持部５１が扉側取付部材３５の載置面３５ａに突き当たるまで扉４が下方へ移動すると、係合軸３８のテーパ部３８ａより下側の部分が係合孔５１ｄに嵌合する。その結果、扉４が開位置まで自動的に回動させられる。この状態では、基準軸３７及び係合軸３８が位置決め孔５１ａ及び係合孔５１ｄにそれぞれ嵌合するので、扉４が扉側取付部材３５に回動不能に連結される。これから明かなように、この実施の形態では、係合軸３８及び係合孔５１ｄにより、基準軸３７及び位置決め孔５１ａと協働して扉側取付部材３５と被支持部５１とを回動不能に連結する連結機構が構成されている。その後、扉４がさらに下方へ移動すると、被支持部５１が載置面５１ａに載置される。これにより、扉４がヒンジ３Ａを介して筐体２に支持される。
【００２２】
このように、この実施の形態においても、基準軸３７を位置決め孔５１ａに嵌合させた後、扉４を回動させることによって扉４が扉側取付部材３５に回動不能に連結されるから、扉４の位置と向きとを同時に調節する必要がなく、個別に調節すればよい。したがって、扉４を扉側取付部材３５に容易に連結することができる。
【００２３】
なお、この発明は、上記の実施の形態に限定されるものでなく、適宜変更可能である。
例えば上記の実施の形態は、この発明を遊技機の一種であるパチスロ遊技機に適用したものであるが、この発明は、遊技機以外であっても扉を筐体にヒンジを介して回動可能に連結してなるものであれば適用可能である。
【００２４】
また、上記の実施の形態においては、扉４をヒンジ３（３Ａ）の扉側取付部材３５に取り付ける場合、扉側取付部材３５を開位置に位置させ、扉４を閉位置側から開位置側へ向かう方向（一方向）へ回動させるようにしているが、扉側取付部材３５がばね３６によって閉位置に位置固定されるように構成した場合には、扉側取付部材３５を閉位置に位置させ、扉４を開位置側から閉位置側へ向かう方向（他方向）へ閉位置まで回動させることにより、扉４を扉側取付部材３５に回動不能に連結するようにしてもよい。
【００２５】
また、上記前の実施の形態においては、基準軸３７を扉側取付部材３５に、位置決め孔５１ａを被支持部５１に設け、後の実施の形態においては、基準軸３７及び係合軸３８を扉側取付部材３５Ａに設け、位置決め孔５１ａ及び係合孔５１ｄを被支持部５１Ａに設けているが、基準軸３７と係合軸３８との少なくとも一方を被支持部５１（５１Ａ）に下方に向かって立設してもよく、その場合には当該少なくとも一方に対応する位置決め孔５１ａ又は係合孔５１ｄを扉側取付部材３５（３５Ａ）に設けるようにする。
【００２６】
さらに、上記後の実施の形態においては、基準軸３７の載置面３５ａからの高さを係合軸３８の載置面３５ａからの高さより高くし、それによって係合軸３８が係合孔５１ｄに嵌合する前に基準軸３７が位置決め孔５１ａに嵌合するようにしているが、基準軸３７，３８の高さを同一にする一方、位置決め孔５１ａと係合孔５１ｄとの形成位置を異なる高さにすることにより、係合軸３８が係合孔５１ｄに嵌合する前に基準軸３７が位置決め孔５１ａに嵌合するようにしてもよい。
【００２７】
【発明の効果】
以上説明したように、この発明によれば、扉を扉側取付部材に取り付ける際に、扉の位置と向きとを同時に調節する必要がなく、個別に調節すればよい。したがって、扉を扉側取付部材に容易に取り付けることができるという効果が得られる。
【図面の簡単な説明】
【図１】この発明に係る扉開閉装置が用いられた遊技機の一例を示す斜視図である。
【図２】同遊技機において用いられているヒンジを示す図であって、図２（Ａ）は開状態における一部切欠き平面図、図２（Ｂ）はその正面図、図２（Ｃ）は閉状態における一部切欠き平面図である。
【図３】同遊技機の扉の要部を示す斜視図である。
【図４】同遊技機の筐体にヒンジを介して扉を支持させた状態の要部を示す平断面図である。
【図５】図４と同様の状態の要部を示す斜視図である。
【図６】同遊技機の筐体にヒンジを介して扉を取り付けた状態の要部を示す平面図である。
【図７】図６と同様の状態の要部を示す斜視図である。
【図８】この発明に係る扉開閉装置が用いられた遊技機の他の例を示す図であって、図８（Ａ）はその一部切欠き平面図、図８（Ｂ）はその正面図である。
【図９】図８に示すヒンジを用いて扉を筐体に取り付ける際の取付直前の状態を示す要部の斜視図である。
【図１０】図８に示すヒンジを用いて扉を筐体に取り付けた状態の要部を示す斜視図である。
【符号の説明】
１  パチスロ遊技機（遊技機）
２  筐体
３  ヒンジ
３Ａ  ヒンジ
４  扉
３１  筐体側取付部材
３２  リンク
３３  リンク
３５  扉側取付部材
３５Ａ  扉側取付部材
３５ａ  載置面（載置部）
３５ｂ  ねじ孔
３５ｃ  当接面（係合部）
３７  基準軸（基準軸部）
３８  係合軸（係合軸部）
５１  被支持部
５１Ａ  被支持部
５１ａ  位置決め孔
５１ｂ  挿通孔
５１ｃ  係合片（係合部）
５１ｄ  係合孔
【図１】
0004050518.tif 000002
【図２】
0004050518.tif 000003
【図３】
0004050518.tif 000004
【図４】
0004050518.tif 000005
【図５】
0004050518.tif 000006
【図６】
0004050518.tif 000007
【図７】
0004050518.tif 000008
【図８】
0004050518.tif 000009
【図９】
0004050518.tif 000010
【図１０】
0004050518.tif 000011